(57)【要約】【課題】  歩行型作業機の始動及び停止操作に係わる関連部品を互いに近傍に配置し、作業者が立ったまま始動及び停止操作を行えて、歩行型作業機の操作性を向上させる。【解決手段】  歩行型除雪機１０は、機体１１の下部に走行装置１２を備え、機体１１の上部にエンジン１３を備え、機体１１の上方から左右上方に左右の操作ハンドル２１Ｌ、２２Ｒを備え、これらの操作ハンドル２１Ｌ、２２Ｒの間に備えた燃料タンク２３と、燃料タンク２３の右下方部で右操作ハンドル２２Ｒに備えた燃料コック２４と、右操作ハンドル２２Ｒの下方に備えた燃料供給弁２５と、左右の操作ハンドル２１Ｌ、２２Ｒ間上方に操作パネル３０を渡すとともに、この操作パネル３０の両側に位置する左右グリップ３１Ｌ、３２Ｒと、左グリップ３１Ｌの上側に位置する走行準備レバー３３と、右グリップ３２Ｒの近傍に備えたオーガハウジング姿勢調節レバー４１と、操作パネル３０の背面３４ａの中心より右側に備えるメインスイッチ３５とからなる構成体とする。【選択図】      図２
2005060960.tif 000002
【特許請求の範囲】
【請求項１】
機体にエンジンを備え、機体の後部に左右のハンドルを備え、これらのハンドルを握りながら作業者が機体に連れ歩く形式の歩行型作業機において、前記左右のハンドル間に操作パネルを渡すとともに、この操作パネルより下方位置にて左右のハンドル間に燃料タンクを渡し、前記操作パネルに備えるメインスイッチ及び前記燃料タンクに備える燃料コックを、機体幅方向中央より右又は左へ一括配置したことを特徴とする歩行型作業機。
【発明の詳細な説明】
【技術分野】
【０００１】
本発明は、作業者が機体に連れ歩く形式の歩行型作業機に関するものである。
【背景技術】
【０００２】
一般に、歩行型作業機の一つとして、例えば歩行型除雪機がある。歩行型除雪機は機体本体部、ハンドル部、エンジン部、走行装置部、除雪部などの部位からなる装置である。
歩行型除雪機を使用する場合は、人がハンドル後方に立ち、始めに燃料コックを開いてエンジン部に燃料を供給する操作を行い、続いてメインスイッチを操作してエンジンを始動させ、除雪部のオーガを動かしながら前進することにより、歩行型除雪機の前方にある雪を除去する。
【０００３】
従来、歩行型除雪機として、エンジンの上部に燃料タンクを備え、ハンドルの下方にエンジンへ燃料を供給するための燃料コックを備えたものが知られている（例えば、特許文献１参照。）。
【特許文献１】特開２０００−２５７５０９公報
【０００４】
図６は特許文献１の図１の再掲図である。ただし、符号は振り直した。
除雪機１００は、機体１０１と、機体１０１の後方に備えた走行装置１０２と、機体１０１の前方に備えた除雪部１０３と、機体１０１の上方に備えたエンジン１０４と、このエンジン１０４に気化器１０５を介して供給される燃料を蓄える燃料タンク１０６と、燃料供給経路１０７から流れる燃料を気化器１０５に供給するための燃料コック１０８と、ハンドルバー１０９を備えたハンドル１１１と、操作部１１２とからなる構造体である。
【０００５】
この除雪機１００に付属する燃料コック１０８の開閉操作について次に説明する。
図７は除雪機のエンジンへ燃料を供給するときの操作説明図であり、作業者１１３は、燃料タンク１０６からエンジン１０４に燃料を供給するために用いる燃料コック１０８を操作するために、立った姿勢から矢印Ａの如く腰を下ろして、ハンドルバー１０９の下方でエンジン１０４の左側に位置する燃料コック１０８に矢印Ｂの如く手１１４を伸ばして、燃料コック１０８を開放する。
【０００６】
次に、作業者１１３は、操作部１１２にあるメインスイッチによりエンジンを始動させるために立上がる。
また、エンジン停止時においては、作業者１１３はメインスイッチを切ってから、再度腰を下ろして燃料コック１０８を閉じる。
【０００７】
以上のように、特許文献１の従来技術では、作業者１１３はエンジン始動及び停止時において、一旦ハンドルの操作部１１２近傍から離れ、腰を下ろして燃料コック１０８の開閉を行わなければならない。
しかし、エンジン始動及び停止時であってもの、大きく姿勢を変えないで始動及び停止操作ができれば、なお望ましい。
【発明の開示】
【発明が解決しようとする課題】
【０００８】
本発明は、歩行型作業機の始動及び停止操作に係わる関連部品を互いに近傍に配置し、作業者が立ったまま始動及び停止操作を行えて、歩行型作業機の操作性を向上させることを課題とする。
【課題を解決するための手段】
【０００９】
請求項１に係る発明は、機体にエンジンを備え、機体の後部に左右のハンドルを備え、これらのハンドルを握りながら作業者が機体に連れ歩く形式の歩行型作業機において、前記左右のハンドル間に操作パネルを渡すとともに、この操作パネルより下方位置にて左右のハンドル間に燃料タンクを渡し、前記操作パネルに備えるメインスイッチ及び前記燃料タンクに備える燃料コックを、機体幅方向中央より右又は左へ一括配置したことを特徴とする。
【発明の効果】
【００１０】
請求項１に係る発明では、操作パネルに備えるメインスイッチ及び燃料タンクに備える燃料コックを、機体幅方向中央より右又は左へ一括配置したので、歩行型作業機の作業者は、始動時において、立ったままの姿勢で片方の手を用いて歩行型作業機のハンドル近傍を握り、姿勢の少ない変化のみで、もう一方の片手を使い燃料コックを開きメインスイッチをオンする動作を行うことができる。
また、停止時においても、同様の動作でメインスイッチをオフすることと燃料コックを閉じることができる。
その結果、歩行型作業機の始動及び停止操作は、合理的で且つ簡易的な動作で行えることにより操作性が向上するという利点がある。
【発明を実施するための最良の形態】
【００１１】
本発明を実施するための最良の形態を添付図に基づいて以下に説明する。以下、歩行型作業機として歩行型除雪機を例に説明するが、歩行型作業機はこれに限定するものではない。なお、図面は符号の向きに見るものとする。
【００１２】
図１は本発明に係る歩行型除雪機（歩行型作業機）の側面図であり、歩行型作業機としての歩行型除雪機１０は、機体１１の下部左右側にそれぞれ走行用の電動モータ（図示せず）を取り付け、左右の電動モータに走行装置１２を連結し、機体１１の上部にエンジン１３を取り付け、エンジン１３で駆動する除雪装置１４を機体１１の前部に取り付け、除雪装置１４の後部及びエンジン１３をカバー体１５で覆い、機体１１の上部から後上方へ左右の操作ハンドル２１Ｌ、２２Ｒ（２２Ｒは図示せず。）を延ばし、これら左右の操作ハンドル２１Ｌ、２２Ｒ間に燃料タンク２３を取り付け、燃料タンク２３の下方で右操作ハンドル２２Ｒの上部に燃料コック２４を取り付け（図１では右操作ハンドル２２Ｒを示さないが、本実施例では右操作ハンドル２２Ｒに取り付けるものとする。）、右操作ハンドル２２Ｒ（図示せず。）の下方に燃料供給弁２５を備え、左右の操作ハンドル２１Ｌ、２２Ｒ間上方に操作パネル３０を備え、作業者が左右の操作ハンドル２１Ｌ、２２Ｒ（２２Ｒは図示せず。）の左右グリップ３１Ｌ、３２Ｒ（３２Ｒは図示せず。）を握った状態で操作パネル３０の後から連れ歩く、自力走行式の歩行型作業機である。
【００１３】
走行装置１２は、左側の電動モータ（図示せず）の外側に左側走行部５１を備え、右側の電動モータ（図示せず）の外側に右側走行部５１を備える。なお、左右の走行部５１、５１は同じ構成部材なので同一符合を付して、右側走行部５１の説明を省略する。
左側走行部５１は、左側の電動モータに連結する左側の駆動輪５２を備え、この駆動輪５２の後方に左側の遊転輪５３を回転自在に備え、左側の駆動輪５２及び遊転輪５３に左側のクローラベルト５４を巻き掛けたものである。
【００１４】
また、除雪装置１４は、オーガ１６、オーガ装置１７、シュータ１８などで構成したものである。
さらに、操作パネル３０は走行準備レバー３３、背面３４ａにメインスイッチ３５を配置する。
【００１５】
この歩行型除雪機１０によれば、左右の電動モータを駆動して、左右の駆動モータで左右の駆動輪５２、５２を駆動することにより、左右のクローラベルト５４、５４を回転する。左右のクローラベルト５４、５４を回転することで歩行型除雪機１０が走行する。
この状態で、エンジン１３で除雪装置１４を駆動して除雪作業を行う。
【００１６】
図２は本発明に係る歩行型除雪機の背面図であり、背面から見た歩行型除雪機１０は、機体１１の下部に走行装置１２を備え、機体１１の上部にエンジン１３を備え、機体１１の上方から左右上方に左右の操作ハンドル２１Ｌ、２２Ｒを備え、これらの操作ハンドル２１Ｌ、２２Ｒの上方で、これらの操作ハンドル２１Ｌ、２２Ｒの間に備えた燃料タンク２３と、燃料タンク２３の右下方部で右操作ハンドル２２Ｒに備えた燃料コック２４と、右操作ハンドル２２Ｒの下方に備えた燃料供給弁２５と、左右の操作ハンドル２１Ｌ、２２Ｒ間上方に操作パネル３０を渡すとともに、この操作パネル３０の両側に位置する左右グリップ３１Ｌ、３２Ｒと、左グリップ３１Ｌの上側に位置する走行準備レバー３３と、右グリップ３２Ｒの近傍に備えたオーガハウジング姿勢調節レバー４１と、操作パネル３０の背面３４ａの中心より右側に備えるメインスイッチ３５とからなる構成体である。
【００１７】
以上のように、本発明の歩行型除雪機１０は、背面より見て、機体中心より右側に燃料コック２４とメインスイッチ３５を備えるのが特徴である。
また、操作パネル３０は、その背面３４ａにクラッチ操作スイッチ３６を設け、操作パネル３０の上面３４ｂに投雪方向調節レバー３７、方向速度レバー３８、エンジン用スロットルレバー３９を備える。
なお、背面からは、走行装置１２の左右の遊転輪５３、５３を覆った左右のクローラベルト５４、５４が見える。
【００１８】
図３は図１の３矢視図であり、機体１１の上部にあるエンジン１３に給油するための給油口近傍の経路を示した構成図である。
燃料をエンジンに供給するための経路は、右操作ハンドル２２Ｒに取り付けた燃料コック２４の下部（右操作ハンドル２２Ｒ下端部近傍）に燃料供給弁２５を備え、燃料コック２４と燃料供給弁２５との間を燃料運搬チューブ２６により接続し、燃料供給弁２５のエンジン１３側に給油口２７を備えることにより成り立つ。
また、２８は燃料コック取り付け板、２９は左右ハンドル連結棒である。
【００１９】
図３及び図２から明らかなように、燃料供給弁２５は、機体１１の背面から見て、中心より右側に集中しており、燃料コック２４やメインスイッチ３５と距離があまり離れていない位置関係にある。
したがって、始動時のエンジン１３への給油操作は円滑且つ迅速に行うことができる。
【００２０】
図４は図１の４矢視図であり、歩行型除雪機１０の操作パネル３０の機能を詳細に説明するための構成図である。
操作パネル３０は、操作パネル３０の左に左グリップ３１Ｌを配置し、操作パネル３０の右に右グリップ３２Ｒを配置し、背面３４ａ（この図の手前側であり、作業者側の面）に、メインスイッチ３５、クラッチ操作スイッチ３６などを備え、操作パネル３０の上面３４ｂに右側から左側へ、投雪方向調節レバー３７、走行装置に係る方向速度制御部材としての方向速度レバー３８、エンジン用スロットルレバー３９をこの順に備えたものである。
【００２１】
左の操作ハンドル２１Ｌは、左グリップ３１Ｌの近傍で上側に走行準備レバー３３を備える。右の操作ハンドル２２Ｒは、右グリップ３２Ｒの近傍で下側にオーガハウジング姿勢調節レバー４１（図示せず。）を備える。
また、操作パネル３０の背面３４ａは、左旋回操作スイッチ４２Ｌ及び右旋回操作スイッチ４３Ｒを備える。
【００２２】
図１、図２及び図４を参照して説明すると、メインスイッチ３５は、キー挿入孔にメインキー（図示せず）を差込んで回すことでエンジン１３を始動することのできる周知のイグニッションスイッチである。
【００２３】
投雪方向調節レバー３７は、シュータ１８（図１、２参照。）の方向を変更するときに操作するレバーである。
方向速度レバー３８は、電動モータ（図示せず。）の走行速度を操作するとともに、電動モータ（図示せず。）を正逆転させることで前後進切換えをする前後進速度調節レバーである。
エンジン用スロットルレバー３９は、エンジン１３の回転数を制御するレバーである。
【００２４】
走行準備レバー３３は、スイッチ手段（図示せず。）に作用する走行準備部材であり、作業者の左手で走行準備レバー３３を握ってグリップ３１Ｌ側に下げれば、スイッチ手段はオフとなる。逆に走行準備レバー３３をグリップ３１Ｌから離すとスイッチ手段はオンとなる。このように、走行準備レバー３３が握られているか否かはスイッチ手段で検出することができる。
オーガハウジング姿勢調節レバー４１は、スイング駆動機構５５（図１参照。）を操作してオーガ装置１７の姿勢を変更するときに操作するレバーである。
【００２５】
左旋回操作スイッチ４２Ｌは押しボタンスイッチからなり、歩行型除雪機１０の後方（この図の手前側であり、作業者側）を向く押ボタン４４Ｌを備える。このような左旋回操作スイッチ４２Ｌは、押ボタン４４Ｌを押し操作している間だけスイッチオンとなってスイッチ信号を発する、接点自動復帰式スイッチである。
【００２６】
右旋回操作スイッチ４３Ｒは押しボタンスイッチからなり、歩行型除雪機１０の後方（この図の手前側であり、作業者側）を向く押ボタン４５Ｒを備える。このような右旋回操作スイッチ４３Ｒは、押ボタン４５Ｒを押し操作している間だけスイッチオンとなってスイッチ信号を発する、接点自動復帰式スイッチである。
【００２７】
以上、図１〜図４の構成及び各機能の使い方から、作業者は、歩行型除雪機１０の背面（図２で手前側）に立って歩行型除雪機１０を操作する場合に、操作パネル３０の背面３４ａ及び上面３４ｂあるいは左右の操作ハンドル２１Ｌ、２２Ｒに設けた様々なコック、スイッチ、レバー類がすべて操作パネル３０の近傍にあるので、立ったまま各操作を行うことができる。
その結果、特に、歩行型除雪機１０の始動と停止に係わる燃料コック２４の開閉とメインスイッチ３５のオン、オフの操作性が向上する。
【００２８】
図５は本発明に係る歩行型除雪機の始動作用説明図である。
（ａ）は歩行型除雪機１０の始動前で、歩行型除雪機１０の背面に前向きの作業者６１が立っており、この状態で、前向きの作業者６１の左右の手６２、６３は、走行準備レバー３３、左グリップ３１Ｌ、燃料コック２４に少し体を動かせば届く状態であることがわかる。
【００２９】
（ｂ）は歩行型除雪機１０の始動準備操作で、前向きの作業者６１が左手６２で走行準備レバー３３を握ったまま少し体をひねり、矢印Ｃの如く少し腰を落して右手６３で燃料コック２４（図示せず。）を開放する状態である。
【００３０】
（ｃ）は歩行型除雪機１０の始動操作で、前向きの作業者６１が左手６２で走行準備レバー３３を握り、右腕６４を燃料コック２４から離し、メインスイッチ３５（図示せず。前向きの作業者６１と歩行型除雪機１０の間で、歩行型除雪機１０の背面の中心線より右側に備えてある。）をオンする状態である。
【００３１】
メインスイッチ３５（図示せず。）及び燃料タンク２３に備える燃料コック２４を、機体幅方向中央より右側へ一括配置したので、歩行型除雪機１０の作業者６１は、始動操作に関して立ったまま操作することができ、操作性が向上するという利点がある。
また、停止操作においても、図示しないが、メインスイッチ３５をオフし燃料コック２４を閉じる作業は、図５に示した（ｃ）及び（ｂ）と同じ様に作業者６１が立ったまま体を動かすことにより容易に行うことができる。
【００３２】
尚、以上明記した燃料コック２４及びメインスイッチ３５は、歩行型除雪機１０の背面の中心線より右側に一括配置したが、作業者が立ったまま操作できる範囲であれば、別に歩行型除雪機１０の背面の中心線より左側に一括配置しても良い。
【産業上の利用可能性】
【００３３】
本発明の操作パネル３０、燃料タンク２３、燃料コック２４、メインスイッチ３５などの配置構造は、歩行型作業機に好適である。
【図面の簡単な説明】
【００３４】
【図１】本発明に係る歩行型除雪機（歩行型作業機）の側面図である。
【図２】本発明に係る歩行型除雪機の背面図である。
【図３】図１の３矢視図である。
【図４】図１の４矢視図である。
【図５】本発明に係る歩行型除雪機の始動作用説明図である。
【図６】特許文献１の図１の再掲図である。
【図７】除雪機のエンジンへ燃料を供給するときの操作説明図である。
【符号の説明】
【００３５】
１０…歩行型除雪機、１３…エンジン、２１Ｌ…左操作ハンドル、２２Ｒ…右操作ハンドル、２３…燃料タンク、２４…燃料コック、３０…操作パネル、３１Ｌ…左グリップ、３２Ｒ…右グリップ、３３…走行準備レバー、３５…メインスイッチ。
【図１】
2005060960.tif 000003
【図２】
2005060960.tif 000004
【図３】
2005060960.tif 000005
【図４】
2005060960.tif 000006
【図５】
2005060960.tif 000007
【図６】
2005060960.tif 000008
【図７】
2005060960.tif 000009